(57)【要約】【課題】  本考案は、特にカバーと本体との間に設置することにより、本体に対してカバーの開閉を行うヒンジを提供する。【解決手段】  本考案は、非円形孔（１１）有する結合座（１０）と、非円形孔（１１）に挿設される回転軸（２０）と、回転軸（２０）のロッド体（２２）に環装される動ワッシャ（３０B）と、ロッド体（２２）に環装される固設座（４０）と、ロッド体（２２）に環装される制動ワッシャ（３０A）と、制動ワッシャ（３０A）の一側に環装される凹状ブロック（５０）と、ロッド体（２２）における、凹状ブロック（５０）と隣接する位置に環装される凸状ブロック（６０）と、ロッド体（２２）に環装される弾性プレート（７０）及びワッシャ（８０）と、ロッド体（２２）のねじ山（２３）に螺合されるナット（９０）と、を含むことを特徴とする。【選択図】  図２
0003122427.tif 000002
【実用新案登録請求の範囲】
【請求項１】
非円形孔（１１）有する結合座（１０）と、
一端に前記結合座（１０）の非円形孔（１１）に挿設される非円形軸（２１）が設けられ、他端の近傍にねじ山（２３）を有する断面非円形状のロッド体（２２）が設けられる回転軸（２０）と、
前記回転軸（２０）のロッド体（２２）に環装され、中央に非円形の貫通孔（３１B）を有するリング状を呈する制動ワッシャ（３０B）と、
所定の間隔で円形孔（４３）及び位置決め孔（４４）を有する延出プレート（４２）が設けられ、該円形孔（４３）により前記ロッド体（２２）に環装される固設座（４０）と、
非円形状の貫通孔（３１A）を有し、該貫通孔（３１A）により前記ロッド体（２２）に環装されるリング状の制動ワッシャ（３０A）と、
中央に円形孔が形成され、該円形孔により前記ロッド体（２２）における制動ワッシャ（３０A）の一側に環装され、且つ前記固設座（４０）の延出プレート（４２）に固定され、位置決め孔（４４）と対応する位置に位置決め柱（５１）が設けられ、更に他方の面の上側に位置決め凹部（５２）が、下側に位置決め凹部（５３）が形成される凹状ブロック（５０）と、
前記ロッド体（２２）における、凹状ブロック（５０）と隣接する位置に環装され、一方の面における、凹状ブロック（５０）の位置決め凹部（５２）及び位置決め凹部（５３）と対応する位置にそれぞれ該位置決め凹部（５２）及び位置決め凹部（５３）と嵌め合わされる位置決め凸部（６１）及び位置決め凸部（６２）が設けられる凸状ブロック（６０）と、
中央に前記ロッド体（２２）に環装するための円形の貫通孔が形成されるリング状を呈する複数の弾性プレート（７０）と、
前記複数の弾性プレート（７０）の外側から、中央に形成される非円形孔（８１）により前記ロッド体（２２）に環装されるワッシャ（８０）と、
前記ワッシャ（８０）の外側からロッド体（２２）のねじ山（２３）に螺合されるナット（９０）と、を含むことを特徴とするヒンジ。
【請求項２】
前記請求項１に記載の制動ワッシャ（３０A）と固設座（４０）との組み合わせを、
前記回転軸（２０）のロッド体（２２）に環装され、中央に非円形の貫通孔（３１）を有するリング状を呈する複数の制動プレート（３０１）と、
前記ロッド体（２２）上に環装するための円形孔（３３）を有し、下側に下方へ延出する一組の挟持片（３４）が設けられ、該挟持片（３４）の間にスリット（３５）を有する固定プレート（３２）と、
非円形状の貫通孔（３１B）を有し、該貫通孔（３１B）により前記ロッド体（２２）に環装されるリング状の制動ワッシャ（３０B）と、
所定の間隔で円形孔（４３）及び位置決め孔（４４）を有する延出プレート（４２）が設けられ、該円形孔（４３）により前記ロッド体（２２）に環装される固設座（４０）とから構成し、
前記位置決め柱（５１）は、位置決め孔（４４）を貫通して裏側から突出し、スリット（３５）により位置決めされることを特徴とする請求項１に記載のヒンジ。
【請求項３】
前記位置決め凹部（５２）及び位置決め凹部（５３）がそれぞれ扇形を呈することを特徴とする請求項１又は２に記載のヒンジ。
【考案の詳細な説明】
【技術分野】
【０００１】
本考案は、特にカバーと本体との間に設置することにより、本体に対してカバーの開閉を行うヒンジに関するものである。
【背景技術】
【０００２】
現在使用されているノート型コンピュータや携帯電話などは、カバーと本体との間にヒンジが設けられることにより連結され、使用時は、カバーを本体から上方へ持ち上げ、不使用時には、カバーを本体側に閉じる構成となっている。このことから、小型化を図ることができるので、収納や持ち運びに非常に便利である。
【０００３】
従来のヒンジとしては、例えば台湾実用新案出願第093204349号、証書番号M253818号「径の小さい回転軸を用いたヒンジ」があり、その構造は、回転軸を有し、該回転軸の一端に固設座が枢設されると共に、他端に結合座が設置され、該結合座における、固設座を有する一端に更に、回転部材及び位置決め部材を含む制御機構と、抵抗力発生機構が枢設され、該制御機構と抵抗力発生機構との間に無段階復位式の復位部材が設けられ、抵抗力発生機構にブッシュ、複数の抵抗部材及びワッシャを含ませることにより、抵抗部材とワッシャとの間の摩擦抵抗力を増加させるものである。
【特許文献１】台湾実用新案出願第093204349号、証書番号M253818号「径の小さい回転軸を用いたヒンジ」
【考案の開示】
【考案が解決しようとする課題】
【０００４】
しかしながら、前記従来のヒンジには、次に示すような欠点を有する。
【０００５】
従来のヒンジには、回転軸、結合座、制御機構及び抵抗力発生機構、復位部材、更に該制御機構における回転部材、位置決め部材、及び抵抗力発生機構におけるブッシュ、複数の抵抗部材、ワッシャなどの沢山の部材を設ける必要があるので、構造が複雑であると共に、組み立ても面倒であり、製造コストの増加にもつながる。
【０００６】
従来のヒンジにおける一つの摩擦面はワッシャと抵抗部材との間に位置し、他の摩擦面は他の抵抗部材と他のワッシャとの間に位置し、更に他の摩擦面は回転部材と位置決め部材との間に位置し、単に３つの摩擦面しか有しないので、本体に対してカバーを開けるとき、位置決め効果が悪いと共に、使用寿命も短い。
【課題を解決するための手段】
【０００７】
本考案の請求項１は、一端に前記結合座（１０）の非円形孔（１１）に挿設される非円形軸（２１）が設けられ、他端の近傍にねじ山（２３）を有する断面非円形状のロッド体（２２）が設けられる回転軸（２０）と、
前記回転軸（２０）のロッド体（２２）に環装され、中央に非円形の貫通孔（３１B）を有するリング状を呈する制動ワッシャ（３０B）と、
所定の間隔で円形孔（４３）及び位置決め孔（４４）を有する延出プレート（４２）が設けられ、該円形孔（４３）により前記ロッド体（２２）に環装される固設座（４０）と、
非円形状の貫通孔（３１A）を有し、該貫通孔（３１A）により前記ロッド体（２２）に環装されるリング状の制動ワッシャ（３０A）と、
中央に円形孔が形成され、該円形孔により前記ロッド体（２２）における制動ワッシャ（３０A）の一側に環装され、且つ前記固設座（４０）の延出プレート（４２）に固定され、位置決め孔（４４）と対応する位置に位置決め柱（５１）が設けられ、更に他方の面の上側に位置決め凹部（５２）が、下側に位置決め凹部（５３）が形成される凹状ブロック（５０）と、
前記ロッド体（２２）における、凹状ブロック（５０）と隣接する位置に環装され、一方の面における、凹状ブロック（５０）の位置決め凹部（５２）及び位置決め凹部（５３）と対応する位置にそれぞれ該位置決め凹部（５２）及び位置決め凹部（５３）と嵌め合わされる位置決め凸部（６１）及び位置決め凸部（６２）が設けられる凸状ブロック（６０）と、
中央に前記ロッド体（２２）に環装するための円形の貫通孔が形成されるリング状を呈する複数の弾性プレート（７０）と、
前記複数の弾性プレート（７０）の外側から、中央に形成される非円形孔（８１）により前記ロッド体（２２）に環装されるワッシャ（８０）と、
前記ワッシャ（８０）の外側からロッド体（２２）のねじ山（２３）に螺合されるナット（９０）と、を含むことを特徴とするヒンジを提供するものであり、
本考案の請求項２は、前記請求項１に記載の制動ワッシャ（３０A）と固設座（４０）との組み合わせを、
前記回転軸（２０）のロッド体（２２）に環装され、中央に非円形の貫通孔（３１）を有するリング状を呈する複数の制動プレート（３０１）と、
前記ロッド体（２２）上に環装するための円形孔（３３）を有し、下側に下方へ延出する一組の挟持片（３４）が設けられ、該挟持片（３４）の間にスリット（３５）を有する固定プレート（３２）と、
非円形状の貫通孔（３１B）を有し、該貫通孔（３１B）により前記ロッド体（２２）に環装されるリング状の制動ワッシャ（３０B）と、
所定の間隔で円形孔（４３）及び位置決め孔（４４）を有する延出プレート（４２）が設けられ、該円形孔（４３）により前記ロッド体（２２）に環装される固設座（４０）とから構成し、
前記位置決め柱（５１）は、位置決め孔（４４）を貫通して裏側から突出し、スリット（３５）により位置決めされることを特徴とする請求項１に記載のヒンジを提供するものであり、
本考案の請求項３は、前記位置決め凹部（５２）及び位置決め凹部（５３）がそれぞれ扇形を呈することを特徴とする請求項１又は２に記載のヒンジ。
【考案の効果】
【０００８】
本考案は上記の課題を解決するものであり、結合座、回転軸、複数の制動ワッシャ、固設座、凹状ブロック、凸状ブロック、複数の弾性プレート、ワッシャ及びナットなどの簡単な構造の部材を組み合わせてなり、該複数の制動ワッシャはそれぞれ回転軸のロッド体上における、固設座の両側に環装され、該一方の制動ワッシャの一端に順に凹状ブロックと凸状ブロックが環装され、該凹状ブロックの上側に位置決め凹部が、下側に位置決め凹部が形成され、該凸状ブロックにおける、凹状ブロックの位置決め凹部及び位置決め凹部と対応する位置にそれぞれ該位置決め凹部と嵌め合わされる位置決め凸部が設けられる構成を有し、又は結合座、回転軸、複数の制動ワッシャ、複数の制動プレート、固定プレート、固設座、凹状ブロック、凸状ブロック、複数の弾性プレート、ワッシャ及びナットなどの簡単な構造の部材を組み合わせてなり、該複数の制動ワッシャはそれぞれ回転軸のロッド体上における、固設座の両側に環装され、該一方の制動ワッシャの一端に順に凹状ブロックと凸状ブロックが環装され、該凹状ブロックの上側に位置決め凹部が、下側に位置決め凹部が形成され、該凸状ブロックにおける、凹状ブロックの位置決め凹部及び位置決め凹部と対応する位置にそれぞれ該位置決め凹部と嵌め合わされる位置決め凸部が設けられ、更に固定プレートはロッド体上に環装されると共に、凹状ブロックの位置決め柱を挟持して位置決めし、２枚の制動プレートがロッド体上において固定プレートの一側に並設される構成を有するので、優れた位置決め効果を達成できる。
【０００９】
上記の構成を有することから、本考案には以下に示すような効果がある。
【００１０】
本考案は、従来のヒンジにおけるブッシュを用いなくても、単に結合座、回転軸、複数の制動ワッシャ、固設座、凹状ブロック、凸状ブロック、複数の弾性プレート、ワッシャ及びナットなどの簡単な部材を、或いは結合座、回転軸、複数の制動ワッシャ、複数の制動プレート、固定プレート、固設座、凹状ブロック、凸状ブロック、複数の弾性プレート、ワッシャ及びナットなどの簡単な部材を、決められた順番で組み合わせるだけでよいので、低コスト化を図ることができる。
【００１１】
本考案では、２つの制動ワッシャと固設座における延出プレートとの間、及び制動ワッシャ、凸状ブロックと凹状ブロックとの間にそれぞれ摩擦面を有し、それら４つの摩擦面により良好な位置決め効果を達成でき、或いは２つの制動ワッシャと固設座における延出プレートとの間、及び制動ワッシャ、凸状ブロックと凹状ブロックとの間にそれぞれ摩擦面を有し、それら制動ワッシャ、制動プレート及び固定プレートにおける６つの摩擦面により良好な位置決め効果を達成できるので、使用寿命をより延ばすことができる。
【考案を実施するための最良の形態】
【００１２】
以下、添付図面を参照して本考案の好適な実施の形態を詳細に説明する。
【実施例】
【００１３】
図１は本考案に係るヒンジの第１実施例の斜視図であり、図２は本考案に係るヒンジの第１実施例の分解斜視図であり、図３は本考案に係るヒンジの第１実施例の他の分解斜視図であり、図４は本考案に係るヒンジの第２実施例の分解斜視図であり、図５は本考案に係るヒンジの第１実施例の使用状態を示す斜視透視図であり、図６は本考案に係るヒンジの第１実施例の側面図である。
【００１４】
図１、２及び５に示すように、本考案に係るヒンジの第１実施例は、結合座（１０）、回転軸（２０）、制動ワッシャ（３０B）、固設座（４０）、制動ワッシャ（３０A）、凹状ブロック（５０）、凸状ブロック（６０）、複数の弾性プレート（７０）、ワッシャ（８０）及びナット（９０）からなり、該結合座（１０）は、プレート体であり、その一端に非円形孔（１１）が形成されると共に、ノート型コンピュータや携帯電話などの上部カバー（１２）に固設される。
【００１５】
前記回転軸（２０）は、その一端に非円形孔（１１）に挿設される非円形軸（１２）が設けられると共に、他端に断面が非円形のロッド体（２２）が設けられ、該ロッド体（２２）の自由端の近傍にねじ山（２３）が形成される。
【００１６】
前記制動ワッシャ（３０B）は、リング状を呈し、中央にそれぞれ制動ワッシャ（３０B）を前記ロッド体（２２）上に環装するための非円形の貫通孔（３１B）が形成される。
【００１７】
前記固設座（４０）は、ノート型コンピュータや携帯電話などの本体（４１）に固設されると共に、縦方向に、所定の間隔で前記ロッド体（２２）が挿入される円形孔（４３）、及び位置決め孔（４４）を有する延出プレート（４２）が設けられる。
【００１８】
前記制動ワッシャ（３０A）は、前記制動ワッシャ（３０B）と同様にリング状を呈し、中央に制動ワッシャ（３０A）を前記ロッド体（２２）上に環装するための非円形の貫通孔（３１A）が形成される。
【００１９】
前記凹状ブロック（５０）は、中央に円形孔が形成され、該円形孔により前記ロッド体（２２）における制動ワッシャ（３０A）の一側に環装されると共に、一側における、前記位置決め孔（４４）と対応する位置に、該位置決め孔（４４）に係合される位置決め柱（５１）が設けられ、更に他方の面の上側及び下側にそれぞれ扇形を呈する位置決め凹部（５２）及び位置決め凹部（５３）が形成される。
【００２０】
前記凸状ブロック（６０）は、中央に非円形孔が形成され、該非円形孔により前記ロッド体（２２）における、凹状ブロック（５０）と隣接する位置に環装されると共に、一方の面における、凹状ブロック（５０）の位置決め凹部（５２）及び位置決め凹部（５３）と対応する位置にそれぞれ該位置決め凹部（５２）及び位置決め凹部（５３）と嵌め合わされる位置決め凸部（６１）及び位置決め凸部（６２）が設けられる。
【００２１】
前記複数の弾性プレート（７０）は、その中央に円形孔が形成され、該円形孔により前記ロッド体（２２）上に環装される。
【００２２】
前記ワッシャ（８０）は、中央に非円形孔（８１）が形成され、該非円形孔（８１）により前記ロッド体（２２）上における弾性プレート（７０）の外側に環装される。
【００２３】
前記ナット（９０）は、内部にねじ山（９１）が形成されることにより、前記ワッシャ（８０）の外側からロッド体（２２）のねじ山（２３）に螺合される。
【００２４】
また、図２、図３、図５及び図６に示すように、本考案のヒンジをノート型コンピュータに組み込んで使用する場合において、ノート型コンピュータの上部カバー（１２）を本体（４１）に対して開ける時には、該上部カバー（１２）が結合座（１０）、回転軸（２０）とそのロッド体（２２）、２つの制動ワッシャ（３０A,３０B）、凸状ブロック（６０）、ワッシャ（８０）及びナット（９０）の回転に連動する。
【００２５】
そのうち、複数の制動ワッシャ（３０A,３０B）は、固設座（４０）の延出プレート（４２）と凹状ブロック（５０）との間に摩擦力を発生させて、位置決め凸部（６１,６２）を位置決め凹部（５２,５３）に対して位置決めすることにより、上部カバー（１２）を本体（４１）に対して適当な角度に位置決めるものであるが、更に前記各制動ワッシャ（３０A, ３０B）と固設座（４０）における延出プレート（４２）との間に摩擦面を有すると共に、一方の制動ワッシャ（３０A）、凸状ブロック（６０）と凹状ブロック（５０）との間にもそれぞれ摩擦面を有し、それら４つの摩擦面により上部カバー（１２）の良好な開閉動作を達成して、使用寿命の延長を図る。
【００２６】
上述したように、本考案のヒンジは、結合座（１０）、回転軸（２０）、複数の制動ワッシャ（３０A,３０B）、固設座（４０）、凹状ブロック（５０）、凸状ブロック（６０）、複数の弾性プレート（７０）、ワッシャ（８０）及びナット（９０）などの簡単な構造の部材を組み合わせてなり、この構造によれば、従来のヒンジに設けられていたブッシュを省くことができることから、組み立てが非常に容易になると共に、低コスト化にもつながる。
【００２７】
更に、前記各制動ワッシャ（３０A,３０B）と固設座（４０）における延出プレート（４２）との間に摩擦面を有すると共に、一方の制動ワッシャ（３０A）、凸状ブロック（６０）と凹状ブロック（５０）との間にもそれぞれ摩擦面を有することから、それら４つの摩擦面により上部カバー（１２）の良好な開閉動作を達成できるので、使用寿命の延長を図ることができる。
【００２８】
また、本考案に係るヒンジの第２実施例においては、図４に示すように、結合座（１０）、回転軸（２０）、制動ワッシャ（３０A）、複数の制動プレート（３０１）、固定プレート（３２）、制動ワッシャ（３０B）、固設座（４０）、凹状ブロック（５０）、凸状ブロック（６０）、複数の弾性プレート（７０）、ワッシャ（８０）及びナット（９０）からなり、該結合座（１０）は、プレート体であり、その一端に非円形孔（１１）が形成されると共に、ノート型コンピュータや携帯電話などのカバー（１２）に固設される。
【００２９】
前記回転軸（２０）は、その一端に非円形孔（１１）に挿設される非円形軸（１２）が設けられると共に、他端に断面が非円形のロッド体（２２）が設けられ、該ロッド体（２２）の自由端の近傍にねじ山（２３）が形成される。
【００３０】
前記複数の制動プレート（３０１）は、リング状を呈すると共に、前記ロッド体（２２）上に環装される非円形孔（３１）を有し、固定プレート（３２）における、制動ワッシャ（３０B）と反対する側に設置される。
【００３１】
前記固定プレート（３２）は、制動ワッシャ（３０B）の一側に位置すると共に、前記ロッド体（２２）上に環装される円形孔（３３）を有し、下側に下方へ延出する一組の挟持片（３４）が設けられ、該挟持片（３４）の間にスリット（３５）を有する。
【００３２】
前記制動ワッシャ（３０B）は、リング状を呈し、中央にそれぞれ制動ワッシャ（３０B）を前記ロッド体（２２）上に環装するための非円形の貫通孔（３１B）が形成される。
【００３３】
前記前記固設座（４０）は、ノート型コンピュータや携帯電話などの本体（４１）に固設されると共に、縦方向に、所定の間隔で前記ロッド体（２２）が挿入される円形孔（４３）、及び位置決め孔（４４）を有する延出プレート（４２）が設けられる。
【００３４】
前記制動ワッシャ（３０A）は、リング状を呈し、中央にそれぞれ制動ワッシャ（３０A）を前記ロッド体（２２）上に環装するための非円形の貫通孔（３１A）が形成される。
【００３５】
前記凹状ブロック（５０）は、中央に円形孔が形成され、該円形孔により前記ロッド体（２２）における制動ワッシャ（３０A）の一側に環装されると共に、一側における、前記位置決め孔（４４）と対応する位置に、該位置決め孔（４４）を貫通して裏側から突出し、スリット（５１）により位置決めされる位置決め柱（５１）が設けられ、更に他方の面の上側及び下側にそれぞれ扇形を呈する位置決め凹部（５２）及び位置決め凹部（５３）が形成される。
【００３６】
前記凸状ブロック（６０）は、中央に非円形孔が形成され、該非円形孔により前記ロッド体（２２）における、凹状ブロック（５０）と隣接する位置に環装されると共に、一方の面における、凹状ブロック（５０）の位置決め凹部（５２）及び位置決め凹部（５３）と対応する位置にそれぞれ該位置決め凹部（５２）及び位置決め凹部（５３）と嵌め合わされる位置決め凸部（符号なし）が設けられる。
【００３７】
前記複数の弾性プレート（７０）は、その中央に円形孔が形成され、該円形孔により前記ロッド体（２２）上に環装される。
【００３８】
前記ワッシャ（８０）は、中央に非円形孔（８１）が形成され、該非円形孔（８１）により前記ロッド体（２２）上における弾性プレート（７０）の外側に環装される。
【００３９】
前記ナット（９０）は、内部にねじ山（９１）が形成されることにより、前記ワッシャ（８０）の外側からロッド体（２２）のねじ山（２３）に螺合される。
【００４０】
また、図４に示すように、本考案のヒンジをノート型コンピュータに組み込んで使用する場合において、ノート型コンピュータのカバー（１２）を本体（４１）に対して開ける時には、該カバー（１２）が結合座（１０）、回転軸（２０）とそのロッド体（２２）、複数の制動ワッシャ（３０A,３０B）、制動プレート（３０１）、凸状ブロック（６０）、ワッシャ（８０）及びナット（９０）の回転に連動する。
【００４１】
そのうち、複数の制動ワッシャ（３０A,３０B）は、固設座（４０）の延出プレート（４２）と凹状ブロック（５０）との間に摩擦力を発生させて、位置決め凸部（６１,６２）を位置決め凹部（５２,５３）に対して位置決めすることにより、カバー（１２）を本体（４１）に対して適当な角度に位置決めるものであるが、更に前記各制動ワッシャ（３０A,３０B）と固設座（４０）における延出プレート（４２）との間に摩擦面を有すると共に、一方の制動ワッシャ（３０A）、凸状ブロック（６０）及び凹状ブロック（５０）との間にもそれぞれ摩擦面を有し、それら６つの摩擦面によりカバー（１２）の良好な開閉動作を達成して、使用寿命の延長を図る。
【００４２】
上述したように、本考案のヒンジは、前記各制動ワッシャ（３０A,３０B）と固設座（４０）における延出プレート（４２）との間に摩擦面を有すると共に、一方の制動ワッシャ（３０A）、凸状ブロック（６０）と凹状ブロック（５０）との間にもそれぞれ摩擦面を有し、更に制動ワッシャ（３０B）及び制動プレート（３０１）と固定プレート（３２）との間にそれぞれ摩擦面を有することから、それら６つの摩擦面によりカバー（１２）の良好な開閉動作を達成できるので、使用寿命の延長を図ることができる。
【００４３】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００４４】
【図１】本考案に係るヒンジの第１実施例の斜視図である。
【図２】本考案に係るヒンジの第１実施例の分解斜視図である。
【図３】本考案に係るヒンジの第１実施例の他の分解斜視図である。
【図４】本考案に係るヒンジの第２実施例の分解斜視図である。
【図５】本考案に係るヒンジの第１実施例の使用状態を示す斜視透視図である。
【図６】本考案に係るヒンジの第１実施例の側面図である。
【符号の説明】
【００４５】
１０        結合座
１１        非円形孔
２０        回転軸
２１        非円形軸
２２        ロッド体
２３        ねじ山
３０A      制動ワッシャ
３０B      制動ワッシャ
３０１      制動プレート
３１        貫通孔
３１A      貫通孔
３１B      貫通孔
３２        固定プレート
３３        円形孔
３４        挟持片
３５        スリット
４０        固設座
４１        本体
４２        延出プレート
４３        円形孔
４４        位置決め孔
５０        凹状ブロック
５１        位置決め柱
５２        位置決め部
５３        位置決め凹部
６０        凸状ブロック
６１        位置決め凸部
６２        位置決め凸部
７０        弾性プレート
８０        ワッシャ
８１        非円形孔
９０        ナット
９１        ねじ山
【図１】
0003122427.tif 000003
【図２】
0003122427.tif 000004
【図３】
0003122427.tif 000005
【図４】
0003122427.tif 000006
【図５】
0003122427.tif 000007
【図６】
0003122427.tif 000008